(57)【要約】      （修正有）【課題】ブログ入力により蓄積した記録内容からカレンダー情報を取得・編集して時系列に再度整理して、情報としての価値を高めるシステムを提供する。【解決手段】ユーザーがブログ内にカレンダー情報を含む書き込みを行った際、別途設ける管理システムを用いて、ブログザーバー内のカレンダー情報など将来に行動を予定する情報をＲＳＳの機能を活用し、取得・編集し、その行動予定情報内容が示す日時が近づくとブログポータルサイトに時系列で表示・閲覧させる仕組みである。なお、カレンダー情報の編集事由についてはブログサーバー管理者が自由に設定できる。【選択図】図２
2009134680.tif 000002
【特許請求の範囲】
【請求項１】
任意の端末機より任意入力されサーバーに蓄積・閲覧可能なブログ情報管理システムにおいて、該入力された情報のうち告知閲覧を目的として書き込まれたカレンダー情報を、別途設ける管理サーバーを用いＲＳＳを活用して、公開されているＵＲＬから該入力された日別のカレンダー情報を取得して時系列に昇順整理を行い、該カレンダー情報の日時に従った最新情報を自動的にブログ掲示板へ表示閲覧させることを特徴とする掲示板システム
【請求項２】
閲覧情報の表示事由を今日、明日、今週、今月の日付順や任意に設定する要素に分けることが出来る請求項１に記載の掲示板システム
【発明の詳細な説明】
【技術分野】
【０００１】  従来のブログ掲示板では閲覧を目的とする情報を一般のブログユーザー自らが書き込こんだ入力列順に記録され表示閲覧しており、常に最新記録情報として閲覧されることから、たとえ将来に行動を予定する情報であっても入力された記録時間で管理されるため、その情報内容が示す日時が近づいても、時間の経過とともに古い情報として扱われる。従って、同ブログ掲示板の閲覧情報は階層深く表示されていることにより、閲覧者が気づくことのない記録情報となり、情報としての価値を失ってしまう恐れがある。本発明は、書き込まれる情報を記録順から時系列順に整理表示閲覧させることで、情報としての価値を高めることができるブログ掲示板システムに関する。
【背景技術】
【０００２】  現在インターネット利用者の間では、ホームページなどのウェブサイトの運営又は閲覧を目的とする利用からブログなどの日記風サイトを運営又は、閲覧を目的とする利用する人口が増えており、特にブログサイトは作成及び運営が簡易なことから、近年、利用者が急増している。ブログサイトの特徴としては、各ポータルサイトに搭載させているブログ作成機能を活用して、個人ユーザーが情報を日記風に書き込み表示閲覧させ、閲覧者は個人の書き込みに対してコメントを書き込めるなどやトラックバック機能により、書き込み情報に関連する他のブログサイトの表示閲覧情報と自動的にリンクが設定されることから、その機能は世界規模の個人専用の電子掲示板としての様相であることが、人気を博していると考える。【０００３】
【特許文献】特開２００７−２７２３３０号公開公報
【発明の開示】
【発明が解決しようとする課題】
【０００４】  従来のブログシステム及びブログポータルサイトでは、一般のプログユーザーが書き込んだ行動予定情報を行動予定する日付順や情報内容のジャンル順に分けて集積し自動的に表示閲覧させる手法がなく、同情報を閲覧者が収集する場合はブログポータルサイト内の個人サイトや特定サイトを呼び出し、同各サイトのカレンダー機能や日記を遡って操作する機能を手動で操作して、個々の日記を呼び出し閲覧する方法に従うしかない。しかしながら、この方法では無数にある個人サイトや特定サイトから必要としている情報を収集することは非常に不便であり、困難が伴う。【０００５】  また、書き込まれた情報は入力順に記録されるため将来に有益な情報でも入力時からの時間経過により古い情報として処理され、表示閲覧情報しては最新の情報としての取り扱いではなく、表示閲覧をさせるポータルサイトの掲示板表示部のデザインも将来の日付において有益な情報でも過去の情報として表示されていることから閲覧者が簡易に情報の収集が出来ないため閲覧者に不利益が発生している場合がある。【０００６】  本発明は上記の従来の問題点を鑑み提案されたものであり、その目的は、別途設けるシステム管理サーバーを活用して既存のブログシステムからＲＳＳ情報を取得して、特に将来行動を予定している情報のみを整理し当該表示部分に表示閲覧させる手法である。また、表示内容も明日、今日、今週、今月の時系列毎に分けて表示させることのほか、公共的要素が強い情報や民間イベント情報などの様々なジャンルの区分けもブログポータルサイト管理者が任意にコントロールでき、書き込まれる情報を閲覧者に有意義な状態で閲覧提供し情報の価値を高めることにある。
【課題を解決するための手段】
【０００７】  上記の課題を解決するため、本発明にあっては、請求項１に記載されるように、ＵＲＬが公開されているブログシステムへブログユーザー自らが書き込んだ情報を同ブログのカレンダー情報などを別途設けるシステム管理サーバーを活用して、該カレンダー情報から編集したいＲＳＳ情報を収集して、編集プログラムを介しデータベース化を行う。次にデータベース化を行った情報を指定のブログポータルサイト管理サーバーより同サーバー日付の翌日以降の情報を同データベースより検索させ、選択した情報について情報表示プログラムを使用して、設定した要素を元に必要なタグ情報に整形させ、指定のブログポータルサイト内掲示板に表示閲覧させる。【０００８】  また、上記に記載した情報の再表示をさせる際、請求項２に記載されるように、指定のブログポータルサイト管理者に情報の編集閲覧させる際の順位や要素を任意に選択設定させることができる。
【発明の効果】
【０００９】  本発明においては、収集した情報を指定する現状のブログポータルサイトを活用するブログユーザ行動予定情報を明日以降に限定して指定掲示板へ表示閲覧をさせることができる。そのことにより、過去に書き込んだ情報を最新情報として活用することで、ブログユーザへの情報の鮮度を再生することができ、再度の確認や告知的な活用として効果を発揮するものである。また、ブログブログポータルサイト管理者により取得した情報の編集後の表示閲覧要素や表示順位設定及び、その他詳細な情報の適宜入力も任意可能であることから、ブログポータルサイト内、指定掲示板での表示閲覧デザインを多彩なジャンルに変えることができ、それぞれのブログポータルサイトの情報表示閲覧ソースとして指定掲示板に特徴を持たせ、各ブログポータルサイトの有力かつ特別なコンテンツとして使用できる。
【発明を実施するための最良の形態】
【００１０】  以下、本発明の最適な実施形態を図２〜図５を用いて説明する。【００１１】  図２は本発明のシステム概要であり、本発明のシステムは、日記データ登録時に別途登録されるカレンダー情報から、日別のＲＳＳ情報が取得できることが前提のとなるシステムである。【００１２】  図３において、一般ブログ利用者はユーザー端末１からインターネットブラウザ介して指定のブログサイトへ日記等の情報を入力しブログポータルサイト管理サーバー２（以下「ブログサーバー２」という）に該情報が蓄積される。次に書き込まれた同ブログサイトを管理するブログサーバー２へ書き込まれた該情報を登録する際に、カレンダー情報を別途設けるあしたシステム管理サーバー（以下「管理サーバー４」という）のあした情報取得・編集プログラム（以下「情報取得・編集プログラム」という）を用いて、該管理サーバー４より該ブログサーバー２の公開されているＵＲＬを介してＲＳＳ情報３を自動的に取得する。次に管理サーバー４に搭載される該情報取得・編集プログラムを用いて入力されたカレンダー情報を選別・編集し、該管理サーバー４のデータベースへ分類・記録される。なお、分類方法に関しては予めブログサーバー２の管理者が任意で設定できるシステムとなっている。
管理サーバー４のデータベースへ記録された情報をブログサーバー２から管理サーバー４内のデータベースの記録情報へアクセスさせ、管理サーバー４の日付の翌日以降の情報を検索させる。
次に検索した情報は管理サーバー４内に搭載される未来情報表示プログラム（以下、「編集プログラム」という）を介し、予め設定されている分類ごとの必要なタグに整理され、ブログサーバー２のブログポータルサイト５内にある指定掲示板にジャンル別に分け自動表示される。（仮称タイトル：あしたのイチオシ、あした情報）【００１３】  図４及び図５に示すとおり、ブログポータルサイト５の指定掲示板に表示閲覧される情報は、編集プログラムにより選別・分類された表示ジャンルを今日、今週、今月に分けたホルダーに切り替えることができ、更にブログポータルサイト管理者により該表示ジャンルを任意に作り分け選択することができる。
即ち、民間イベント要素の高いあした情報、公共性が高いあした情報、趣味別のあした情報、職業別あした情報、ランキング別あした情報、血液別あした情報、作るあした情報、楽しむあした情報、性別、年齢別、その他無数の入力情報の中のカレンダー情報の利・活用が可能である。【００１４】  本発明のシステムは従来のブログシステム２内で、入力順に記録表示されることで、将来に予定される情報の実施が予定される日付に近づいても、表示部分の階層深く送られ格納されることで、書き込まれた情報の目的を達成できる可能性が低くなることによる不利益を予定日前日に抽出表示させることで解消することとなり、また、掲示板への表示方法のデザインやジャンルを多様化することで、情報に付加価値をも与えていると言える。また、本発明システムの概念は、インターネット上のＨＴＭＬ（「Ｈｙｐｅｒ  Ｔｅｘｔ  Ｍａｒｋｕｐ  Ｌａｎｇｕａｇｅ」）言語で作成されたウェブサイトでも活用することが考えられ、表示閲覧を目的とするインターネットを介した総ての情報提供手法に新しい概念を発明したと位置づけられ、発明を実施するための最良の形態に記載した具体例の説明及び図面に限定することなく、本発明の目的の範囲で自由に設計変更しうるものであり本発明はそれらを全て包摂するものである。
【図面の簡単な説明】
【００１５】
【図１】従来のブログポータルサイト
【図２】本発明システム概念図
【図３】本発明システムフローチャート図
【図４】本発明のブログポータルサイト内掲示板表示閲覧イメージ及び説明
【図５】本発明の掲示板への情報表示閲覧イメージ拡大図
【図２・図３の符号の説明】
１  ユーザー端末
２  ブロブポータルサイト管理サーバー
３  ＲＳＳ情報
４  システム管理サーバー
５  ブログポータルサイト
【図１】
2009134680.tif 000003
【図２】
2009134680.tif 000004
【図３】
2009134680.tif 000005
【図４】
2009134680.tif 000006
【図５】
2009134680.tif 000007